(57)【要約】      （修正有）【課題】太陽電池モジュールパネルや緑化パネル自体のサイズ、形状などに制約されることなく、設置自由度を大きく保持することのできる野外動物撃退装置を提供する。【解決手段】野外動物撃退装置は、円筒本体と、円筒本体に取り付けられ野外動物を検知する赤外線検知装置と、赤外線検知装置での検知に応動して発光する発光器と、音波発生器と、二次電池と、太陽電池パネルと、を備える。円筒本体に発光器を収容して全周方向に発光させ、同時に太陽電池パネルと音波発生器とを周方向位置決め取り付け装置を介して円筒本体の周方向の任意の回転位置に位置決め自在に装備する。【選択図】図４
0003162211.tif 000002
【実用新案登録請求の範囲】
【請求項１】
円筒本体と、
円筒本体に取り付けられ野外動物を検知する赤外線検知装置と、
赤外線検知装置での検知に応動して発光する発光器と、
周方向位置決め取り付け装置を介して円筒本体の周方向の任意の回転位置に位置決め自在に装備され赤外線検知装置での検知に応動して音波を発生する音波発生器と、
円筒本体に取り付けられ赤外線検知装置と発光器と音波発生器への電力供給源となる二次電池と、
他の周方向位置決め取り付け装置を介して円筒本体の周方向の任意の回転位置に位置決め自在に装備された太陽電池パネルであり、太陽光を受けて電力を生成する二次電池に接続された太陽電池パネルと、を備えたことを特徴とする野外動物撃退装置。
【請求項２】
円筒本体の下端筒縁において着脱可能に連結され円筒本体を任意の傾斜地面を含む地面に任意角度で立設させる穿刺杆を備えることを特徴とする請求項１記載の野外動物撃退装置。  
【請求項３】
太陽電池パネルの周方向位置決め取り付け装置は、円筒本体の外周に取り付けられ、円筒本体の任意回転位置に太陽電池パネルを位置決め支持する支持バンドを含み、
太陽電池パネルは、支持バンドと自在継手連結されて電池パネル面を少なくとも縦軸回りおよび仰角方向に角度設定自在に支持されていることを特徴とする請求項１又は２記載の野外動物撃退装置。  
【請求項４】
発光器は円筒本体の任意の高さ位置に設けられた透光レンズ部の対応位置に内蔵されており、
透光レンズ部を通した光が円筒本体の全周方向に放射されることを特徴とする請求項１ないし３のいずれかに記載の野外動物撃退装置。  
【請求項５】
二次電池を内蔵するとともに太陽電池パネルを自在継手支持する自在継手部を有するケース体を支持バンドに連結して支持させていることを特徴とする請求項１ないし４のいずれかに記載の野外動物撃退装置。  
【考案の詳細な説明】
【技術分野】
【０００１】
本考案は、鹿、イノシシ、猿その他の野外動物の撃退装置に係り、特に、小型、軽量の一体化装置で屋外傾斜地などでも簡単に設置可能な野外動物撃退装置に関する。
【背景技術】
【０００２】
野菜や果樹園等に鹿、イノシシ、猿等の野外動物が侵入して食べ散らし農業者が経済的被害を受ける例は従来からあり、その対策としてそれらの侵入を検知して監視者側へ警報を報知したり、音、光、電流等を発生させてそれらの動物を退避させる方法などがある。動物等の侵入をセンサで検知して音や光を発生させてそれらの動物を撃退させるとしても、動物等が出没する現場に監視カメラやセンサを配置し、遠隔の監視者側に通報するものの監視者は常時所定位置にそのために常駐して通報があれば現場に急行する方法は現実には管理体制を敷くこと自体が困難である。したがって、センサで動物侵入を検知して音、光、電流などで近くの動物等を威嚇し、撃退させることとなるが、例えば発音装置や発光装置の場合、保護区域の周囲数箇所に大型スピーカーや投光機を設置し、動物等の侵入を検知してそれらを作動させることとなり、さらに、通電用の配線等が必要であるから設備が大型化し設備コストがかかる上に設置作業に時間がかかる問題がある。また、電流を流して動物等を撃退する方法も広域に設置用の配線が必要であり、設備コスト、設置時間がかかる上に、高圧電線等を敷設するから危険であるという問題があった。近時、鹿、イノシシ、猿等の野外動物が新設の法面に侵入し、コンクリート二次製品の内側などの緑化地面に植栽した草や花などの根、茎、芽、苗を食い荒らす例が後を絶たず、これらは充分に生育する前に食い取られると緑化用の植物自体が根こそぎ失われて緑化自体ができず、法面全体について波及すると経済的、時間的損失が大きなものとなる。このような緑化法面への動物の侵入による被害は上記従来の方法では、斜面設置の困難性、電線の配線、大型スピーカーや投光機設置ではそれらが届かない範囲での侵入に対処できない、等の問題があった。また、野外動物の侵入に対する撃退装置として、さらに、従来特許文献１の装置が提案されている。
【先行技術文献】
【特許文献】
【０００３】
【特許文献１】実用新案登録第３０６８４１１号公報
【考案の概要】
【考案が解決しようとする課題】
【０００４】
特許文献１の害鳥獣撃退連続発音機は、支柱にスライド棒をスライド自在に設置したものを複数個併設し、スライド棒上端に打撃用ハンマー金を下端にハンマーを取り付け、支柱下端に蓋金で保護された紙雷管を設置し、地表側に配置した餌と打撃用ハンマーとを紐で連結したものであり、動物等が餌を引くと打撃用ハンマー金、ハンマー、蓋金の順に作動し紙雷管を爆発する動作を順次複数の装置について連続して生じさせるものである。この特許文献１の装置においては、支柱やスライド棒、ハンマー金、ハンマー、蓋金などをステンレス製等の金属で構成し、ハンマー金の落下を利用するから装置全体が重量で大型化し、コスト高、設置が容易でない、設置時間がかかる上に、設置箇所から少し離れた場所などでは撃退の効果を得にくいという問題があった。特に、新設した緑化法面などでは、設置自体が困難であるという問題があった。
【０００５】
本考案は上記従来の課題に鑑みてなされたものであり、その目的は、簡単な構成で軽量、コンパクト、低コストであり、しかも外部電源による配線を必要とせずに、法面等の傾斜地にも簡単に設置することのできる野外動物撃退装置を提供することにある。
【課題を解決するための手段】
【０００６】
上記課題を解決するために本考案は、円筒本体２と、円筒本体に取り付けられ野外動物を検知する赤外線検知装置３と、赤外線検知装置での検知に応動して発光する発光器４と、周方向位置決め取り付け装置を介して円筒本体の周方向の任意の回転位置に位置決め自在に装備され赤外線検知装置での検知に応動して音波を発生する音波発生器５と、円筒本体に取り付けられ赤外線検知装置と発光器と音波発生器への電力供給源となる二次電池６と、他の周方向位置決め取り付け装置を介して円筒本体の周方向の任意の回転位置に位置決め自在に装備された太陽電池パネルであり、太陽光を受けて電力を生成する二次電池に接続された太陽電池パネル７と、を備えた野外動物撃退装置１から構成される。円筒本体は、赤外線検知装置、音波発生器、二次電池、太陽電池パネルの支持体であり、特に太陽電池パネルや音波発生器の支持位置を円周方向任意位置に変更可能に支持する。同時に、発光器の内蔵、保護体を兼用し、さらに穿刺杆との連結部を供えた支持体である。これらの機器を密接箇所に集約して取り付けることができる。
【０００７】
その際、円筒本体２の下端筒縁２２において着脱可能に連結され円筒本体２を任意の傾斜地面を含む地面に任意角度で立設させる穿刺杆７０を備えるとよい。
【０００８】
また、太陽電池パネル７の周方向位置決め取付装置１０は、円筒本体２の外周に取り付けられ、円筒本体２の任意回転位置に太陽電池パネル７を位置決め支持する支持バンド２６を含み、太陽電池パネル７は、支持バンド２６と自在継手４２連結されて電池パネル面を少なくとも縦軸ｙ回りおよび水平軸ｘ回り角度θ方向に角度設定自在に支持されているとよい。
【０００９】
また、発光器４は円筒本体２の任意の高さ位置に設けられた透光レンズ部８０の対応位置に内蔵されており、透光レンズ部８０を通した光が円筒本体２の全周方向に放射されるようにするとよい。
【００１０】
また、二次電池６を内蔵するとともに太陽電池パネル７を自在継手支持する自在継手部４２を有するケース体４０を支持バンド２６に連結して支持させるとよい。
【考案の効果】
【００１１】
本考案に係る野外動物撃退装置によれば、円筒本体と、円筒本体に取り付けられ野外動物を検知する赤外線検知装置と、赤外線検知装置での検知に応動して発光する発光器と、周方向位置決め取り付け装置を介して円筒本体の周方向の任意の回転位置に位置決め自在に装備され赤外線検知装置での検知に応動して音波を発生する音波発生器と、円筒本体に取り付けられ赤外線検知装置と発光器と音波発生器への電力供給源となる二次電池と、他の周方向位置決め取り付け装置を介して円筒本体の周方向の任意の回転位置に位置決め自在に装備された太陽電池パネルであり、太陽光を受けて電力を生成する二次電池に接続された太陽電池パネルと、を備えた構成であるから、円筒本体に発光器を収容して全周方向に発光させ、同時に太陽電池パネルと音波発生器とを周方向位置決め取り付け装置を介して円筒本体の周方向の任意の回転位置に位置決め自在に装備し、さらに、これらを独立電源により駆動させる結果、野外動物撃退装置全体を簡単な構成で小型、軽量化しさらに高い可搬性と再利用性を保持することが可能である。また、法面等の傾斜地にも労力を要せず、簡単かつ短時間に設置することができる。
【００１２】
また、円筒本体の下端筒縁において着脱可能に連結され円筒本体を任意の傾斜地面を含む地面に任意角度で立設させる穿刺杆を備える構成であるから、具体的に法面等の傾斜地にも労力を要せず、簡単かつ短時間に設置することができる上に、円筒本体と分離して数ヶ月での設置現場変更にも容易に対応することができる。
【００１３】
また、太陽電池パネルの周方向位置決め取り付け装置は、円筒本体の外周に取り付けられ、円筒本体の任意回転位置に太陽電池パネルを位置決め支持する支持バンドを含み、太陽電池パネルは、支持バンドと自在継手連結されて電池パネル面を少なくとも縦軸回りおよび仰角方向に角度設定自在に支持された構成とすることにより、太陽電池パネルを装置本体の基体である円筒本体に取り付け、任意の周方向位置で位置決めし、さらに仰角方向角度も任意角度に設定できるから、太陽光受光効率の最も良い回転位置と仰角方向設定を簡単、確実に行なうことが可能である。
【００１４】
また、発光器は円筒本体の任意の高さ位置に設けられた透光レンズ部の対応位置に内蔵されており、透光レンズ部を通した光が円筒本体の全周方向に放射される構成とすることにより、円筒本体に発光器を内蔵させて周方向全体に光を放射して野外動物撃退機能を実効化することができる。
【００１５】
また、二次電池を内蔵するとともに太陽電池パネルを自在継手支持する自在継手部を有するケース体を支持バンドに連結して支持させた構成とすることにより、円筒本体の周方向に自在に回動させつつ円筒本体に連結させる構成を具体的に実現させることができる。
【図面の簡単な説明】
【００１６】
【図１】本考案の第１実施形態に係る野外動物撃退装置の一部省略拡大正面図である。
【図２】図１の右側面図である。
【図３】図１の背面図である。
【図４】図１の穿刺杆を円筒本体から離脱させた状態の拡大斜視図である。
【図５】図１の電気接続図である。
【図６】図１の野外動物撃退装置の設置縦断面説明図である。
【図７】図１の野外動物撃退装置の法面設置状態の斜視説明図である。
【考案を実施するための形態】
【００１７】
次に、本考案の実施形態に係る野外動物撃退装置について図を参照して説明する。本考案の野外動物撃退装置は、小型軽量で自己電源で警鳴、警光し、さらに法面等の斜面地にも簡易に立設できる野外動物撃退装置である。
【００１８】
図１，２，３において、実施形態の野外動物撃退装置１は、基本的には、比較的に短い円筒本体２にセンサとしての赤外線検知装置３、発光器４と、音波発生器５と、二次電池６と、太陽電池パネル７と、を装備して構成されたものである。円筒本体２は、赤外線検知装置３、発光器４、音波発生器５並びに二次電池６を含む機器群Ｑを搭載支持する支持体であり、同時にそれらの機器を外周方向に位置変更自在に支持する支持基体であるとともに、発光器の光放射方向を外周の全周方向とし、さらに、具体的な設置場所での支持物と連結しやすい円筒縁を有する構造体である。例えば緑化法面などではコンクリート二次製品の内外緑化地面部分に埋設された草、木などの種子や苗などは生長してしまうと野外動物がこれらを食べても短時日で再生するから成長後は設置場所から回収し、他の場所に移設して用いる用途が多く、これらの場合に簡単な取付、取り外し、容易可搬性、軽量小型、設置後のメンテナンスの容易性が必須となるが、実施形態の装置は、円筒本体２を基礎としてこれらに対応した機能を有する。実施形態において、円筒本体は、例えば外径５ｃｍ、高さ３５ｃｍ、肉厚２ｍｍ程度の中空塩化ビニル管で構成されており、軽量、小型、耐食性、耐久性、低コスト性を充たす。なお、円筒本体２は、合成樹脂プラスチック、金属、軽金属，ＦＲＰなどで構成することもできる。
【００１９】
円筒本体２の下端は１５ｃｍ程度の深さのメクラ穴２１を形成する円筒縁２２を有するとともに、上端側は短筒で上方に向けて漸次径を小さくしたテーパ壁を有する接続管２３を接続している。この接続管２３の上端に後述する透光レンズ部８０のレンズ筒８１が直状に接続される。
【００２０】
円筒本体２の断面円形外周を利用した周方向位置決め取付装置１０を介して機器群Ｑが周方向位置決め自在に取り付けられている。実施形態において、周方向位置決め取付装置１０は、上位及び下位支持バンド２４，２６で構成されている。図２，３において、円筒本体の上下高さ中間位置に円筒本体の周囲に巻き付き密着して周方向にある程度の摩擦力で回動する支持バンド２４、２６が高さを違えて２個取り付けられている。支持バンド２４、２６は、それぞれある程度の緊締力で円筒本体２に巻装され、使用者が上下や回転方向等に力を与えない限りは円筒本体の高さ中途位置で円筒本体と連結し、それによって支持されている。支持バンド２４，２６は周方向の一部に取付台部２８を備えており、取付台部２８を介して支持バンドと機器群Ｑとが連結される。支持バンド２４，２６は、例えば硬質の合成樹脂プラスチック、金属、布等で、帯状、複数細線、紐、チェーン等で円筒本体２の外周にボルト、ナット等の締結弛緩自在に緊締してもよいし、あるいは円筒本体の外径よりやや小さな内径のプラスチック成形品を所要の緊締力で緊締した状態で巻装させ、作業者の外力によってのみ周方向移動可能なように取り付けてもよい。
【００２１】
上位の支持バンド２４の取付台部２８には機器群の１つの音波発生器５が接着、ボルトナット等緊締部材、カシメ部材その他任意の連結手段で連結されている。音波発生器５は赤外線検知装置３からの野外動物等の検知信号を受けて音波を発生させ野外動物等を音波振動により撃退させる音波発生手段であり、実施形態において、電子サイレン等の大音響発生装置が適用されている。好適には、この音波発生器５は、動物等が敏感に反応する超音波発生器であるとより好ましい。上位支持バンド２４を作業者が力を加えて周方向に強制的に回動させることで、音波発生器５の直接的な音波の放射範囲を円筒本体２の外周回りの任意の位置に調整、変更させることができる。
【００２２】
下位の支持バンド２６の取付台部２８には、ケース体４０が固定されており、このケース体４０に機器群Ｑのうちの太陽電池パネル７と二次電池６が取付支持されている。太陽電池パネル７と二次電池６は、支持バンド２６が円筒本体２の周方向に回動して周方向位置を変化させると、同時にそれらの円筒本体に対する周方向位置も変化させる。二次電池６は、太陽電池パネル７からの発生電力を蓄電して各機器群Ｑに電力供給する電源であり、本実施形態では、例えばニッケル水素電池を用いている。二次電池としては他にニッケル・カドミウム電池、リチウムイオン電池、ポリマーリチウムイオン電池、鉛蓄電池などを用いることができる。図２において、本実施形態の二次電池６は、ケース体４０内に内蔵されて水密収容されて外部から保護されている。
【００２３】
太陽電池パネル７は、二次電池６に接続され太陽光を受けて電力を生成し、生成した電力を二次電池６に供給する電力補充手段であり、本実施形態では、自在継手４２を介してケース体４０に３次元方向に角度設定可能に支持されている。詳細には、ケース体の天壁に設置した継手台４４の先端部と、太陽電池パネル７の四角形フレーム４６の外縁の一部に一体に突設した保持ブラケット４８と、が曲面嵌合して縦軸ｙ回り方向に回動自在、及び水平軸ｘ回り角度θ方向扇形状に首振り状に角度を変更できるように設けられている。これによって、四角形フレーム４６内の太陽電池モジュール５０を任意の太陽光の受光角度に設定することができる。太陽電池パネル７はケース体４０の保持ブラケット４８に対して球面摺動自在に嵌合して電池パネル面を３次元方向に角度設定自在なように、３次元に角度変位可能な自在継手で該保持ブラケット４８に連結支持させるようにすることもできる。  
【００２４】
赤外線検知装置３は、本装置に接近する野外動物の存在を検知して検知信号を発光器４並びに音波発生器５に供給する赤外線センサであり、熱型及び量子型センサがある。赤外線検知装置は、赤外領域の光（赤外線）を受光し電気信号に変換して、野外動物等の接近についての情報を取り出すものであり、受光方式により能動型と受動型センサがある。本実施形態において、投光部より赤外線を照射し、被検出物体から反射された赤外線を受光部で検出する比較的安価な投光部、受光部一体型赤外線センサが用いられている。しかしながら、この形式の赤外線センサに限定されるものではない。赤外線検知装置３は、検知信号としての電気信号を発光器４及び音波発生器５に供給し、それぞれ高い照度による発光と大音響の威嚇音を発生させる。
【００２５】
実施形態において、野外動物等赤外線放射体の赤外線センサのほかに、図５に示す照度センサ５５並びにタイマ５６が設置されている。照度センサ５５は、可視光の受光量に応じて常夜灯を点灯、消灯駆動させる光センサである。所定の閾値以下の受光量を検知すると点灯信号をタイマに供給し、これによって、例えば数秒〜数十秒の所定の設定時間のみＬＥＤ等の低消費電力灯が所定時間間隔で交互に点灯、消灯を行なう。
【００２６】
図１ないし図４において、円筒本体２の上部にレンズ筒８１を介して発光器４が取り付けられている。発光器４は接近する野外動物の検知信号を受けて高い照度で発光しこれらを撃退する装置であり、実施形態において、たとえばハロゲンランプが適用されている。実施形態のハロゲンランプは、６Ｖ電圧で１０Ｗ出力の光源であり、二次電池６からの電圧供給を受けて例えば５〜１０秒程度点灯する。発光器４は、タイマに連動し、照度センサにより夜間時受光量を検出したときにのみ点灯する。発光器４は、円筒本体２を上方に延長させるように連接したレンズ筒８１内に設置されており、外部からの雨等の侵入を防止するとともに、光を円筒本体２の外周全方向に通過させて透光するようにレンズ筒８１は透明の合成樹脂筒部材により形成されている。
【００２７】
さらに、本実施形態において、ハロゲンランプの下部と接続管２３の上部との間のレンズ筒８１内には、常夜灯６０が設置されている。常夜灯６０は、レンズ筒８１の中心に配置されて縦に縦列配置された複数の剛性配線管６２と剛性配線管６２内を縦に配線されて各配線管の継ぎ目部分から通電線を引き出して各高さ位置で水平方向に等角度放射状に投光部を向けた複数のＬＥＤランプと、を備えている。常夜灯６０も光を円筒本体２の外周全方向にレンズ筒８１を介して放射させる。
【００２８】
図５は、実施形態に係る野外動物撃退装置の電気系統接続図であり、太陽電池パネル７は、充電回路８を介して二次電池６と接続されている。また、二次電池６と常夜灯６０及び照度センサ５５とはＬＥＤ回路５７を介して接続され、赤外線検知装置３と発光器４とは赤外線回路５８を介して接続されている。
【００２９】
さらに、本実施形態において、機器群Ｑを搭載した円筒本体２を地面等に穿刺支持する穿刺杆７０が設けられている。穿刺杆７０は、円筒本体２を任意の傾斜地面を含む地面に任意角度で立設させる立設支持手段であり、本実施形態では特に、穿刺杆７０は、円筒本体２に対して着脱自在に連結される。すなわち、図４、図６において、円筒本体２の下端の円筒縁２２は、内側に短円筒状の穴２２ａを形成しており、したがって、この円筒縁２２を用いて任意の支持体との連結を簡単に行なうことができる。本実施形態では、穿刺杆７０は円筒縁２２の内側空隙に着脱自在に嵌合する受け筒７２と、受け筒７２の端部から一方向に伸長する刺し棒７４と、を含む。穿刺杆７０は金属製の受け筒７２の一端側に直状の金属刺し棒７４とを溶接接合して一体化して形成されている。受け筒７２を円筒縁２２の穴２２ａに嵌合した状態で円筒縁２２と受け筒７２の壁部を貫通する穴７６が設けられ、これによって、図示しないビスなどを用いて貫通穴７６に差し込み貫通し、ナットで受けて円筒本体２と穿刺杆７０との連結をロックする。穿刺杆７０の刺し棒７４の下端は尖らせてあり、植物の植栽用の地面などに容易に穿刺させることができる。図６には、法面１００の斜面１００ａに鉛直方向に穿刺杆７０を地面に突き刺して支持させた状態を示しており、このように、円筒本体２を任意の傾斜地面を含む地面に任意角度で立設させることができる。円筒本体２と穿刺杆７０とは着脱自在に連結させるから、草や木が予定通り成長したら円筒本体２を穿刺杆７０から分離して別の緑化法面などに移動して簡単に設置することができる。穿刺杆７０も同様に簡単に地面から抜き去って搬送できる。搬送時は分離した状態にすることができるから小型化でき、便利である。穿刺杆７０は地面などに差し入れた状態のまま角度変更を行なうことが出きる。
【００３０】
本実施形態の野外動物撃退装置１は、植物などの植栽地面の必要箇所に相互に離隔して複数を設置させて、野外動物を撃退させる（図７参照）。離隔位置の目安としては厳密には赤外線センサとしての赤外線検知装置３の検知範囲で干渉しない程度の間隔となる。傾斜地での設置は単に穿刺杆７０を斜面などの地面に突き刺すだけでよい。穿刺杆７０に円筒本体を設置後、太陽光を最も効率よく受光可能な水平軸回り角度θに太陽電池パネル７のパネルモジュール面を設定し、音波発生器５のアラーム音時間長、発光器４の点灯時間長をタイマ５６で設定するだけでよい。円筒本体２を基体として、周方向位置決め取付装置１０を介して太陽電池パネル７並びに音波発生器５を外周周りに位置変更自在に保持させる。また、発光器を円筒本体内に内蔵させて全周方向に向けて発光させる。赤外線検知装置３が野外動物を夜間検知すると、赤外線受光量変化を電気信号に変換してハロゲンランプ等により高輝度発光し、同時に電子サイレンで大音量の警報音を発し接近する野外動物を撃退する。
【００３１】
上記実施形態の野外動物撃退装置１では、法面のコンクリート二次製品の緑化植栽部分に設置する例を示したが、本考案の装置はこの実施形態に限定されるものではなく、例えば、椎茸栽培用山林、牧草地などにも好適に設置することができる。
【００３２】
本考案の野外動物撃退装置は、上記した実施形態にのみ限定されるものではなく、実用新案登録請求の範囲に記載した本考案の本質を逸脱しない範囲において改変した内容も本考案に含まれる。
【産業上の利用可能性】
【００３３】
本考案の野外動物撃退装置は、道路に面する法面、山林地、植物栽培地、牧草地などにおいて植物等の食害を行なう野外動物の撃退に適用することができる。
【符号の説明】
【００３４】
１  野外動物撃退装置
２  円筒本体
３  赤外線検知装置
４  発光器
５  音波発生器
６  二次電池
７  太陽電池パネル
８０  透光レンズ部
Ｑ  機器群
θ  水平軸回り角度
【図１】
0003162211.tif 000003
【図２】
0003162211.tif 000004
【図３】
0003162211.tif 000005
【図４】
0003162211.tif 000006
【図５】
0003162211.tif 000007
【図６】
0003162211.tif 000008
【図７】
0003162211.tif 000009